(57)【要約】【課題】使用済み燃料冷却貯蔵池内の水の処理に際して発生する放射性粒状廃樹脂を遮蔽容器に収納するに際して、被ばく量を最小限に抑えて、水分が除去された放射性粒状廃樹脂を遮蔽容器に収納することができる、遮蔽容器への放射性粒状廃樹脂の収納方法を提供する。【解決手段】回収した放射性粒状廃樹脂を網袋３に収納する廃樹脂収納工程（Ａ）と、網袋３に収納された放射性粒状廃樹脂に含まれる水分を除去する水分除去工程（Ｂ）と、水分が除去された放射性粒状廃樹脂が収納された網袋３を樹脂袋６に収納する網袋収納工程（Ｃ）と、網袋３が収納された樹脂袋６を遮蔽容器７に収納する樹脂袋収納工程（Ｄ）を備え、廃樹脂収納工程（Ａ）と水分除去工程（Ｂ）と網袋収納工程（Ｃ）と樹脂袋収納工程（Ｄ）との間を遮蔽壁８によって遮蔽する。【選択図】図１
2019196956.tif 000002
【特許請求の範囲】
【請求項１】
放射性粒状廃樹脂を遮蔽容器に収納する、遮蔽容器への放射性粒状廃樹脂の収納方法において、下記工程、
回収した前記放射性粒状廃樹脂を網袋に収納する廃樹脂収納工程、
前記網袋に収納された前記放射性粒状廃樹脂に含まれる水分を除去する水分除去工程、
水分が除去された前記放射性粒状廃樹脂が収納された前記網袋を樹脂袋に収納する網袋収納工程、
前記網袋が収納された前記樹脂袋を前記遮蔽容器に収納する樹脂袋収納工程、
を備え、
前記廃樹脂収納工程と前記水分除去工程と前記網袋収納工程と前記樹脂袋収納工程との間を遮蔽壁によって遮蔽することを特徴とする、遮蔽容器への放射性粒状廃樹脂の収納方法。
【請求項２】
前記廃樹脂収納工程は、回収した前記放射性粒状廃樹脂を吸引して前記網袋に収納することを特徴とする、請求項１に記載の、遮蔽容器への放射性粒状廃樹脂の収納方法。
【請求項３】
前記水分除去工程は、水分を含む前記放射性粒状廃樹脂が収納された前記網袋を遠心脱水することによって前記放射性粒状廃樹脂から水分を除去することを特徴とする、請求項１または２に記載の、遮蔽容器への放射性粒状廃樹脂の収納方法。
【請求項４】
前記廃樹脂収納工程から前記水分除去工程、前記水分除去工程から前記網袋収納工程への前記網袋の搬送、および、前記網袋収納工程から前記樹脂袋収納工程への前記樹脂袋の搬送は、前記網袋の吊り上げ、吊り下ろし、および、前記樹脂袋の吊り上げ、吊り下ろしが可能な搬送手段によって行うことを特徴とする、請求項１から３の何れか１つに記載の、遮蔽容器への放射性粒状廃樹脂の収納方法。
【請求項５】
前記搬送手段を前記遮蔽壁の上方に設置することを特徴とする、請求項４に記載の、遮蔽容器への放射性粒状廃樹脂の収納方法。
【請求項６】
前記搬送手段は、レールと前記レールに沿って移動可能な巻上機とからなることを特徴とする、請求項４または５に記載の、遮蔽容器への放射性粒状廃樹脂の収納方法。
【請求項７】
前記遮蔽壁には、作業員が前記網袋あるいは前記樹脂袋を操作する開口を形成することを特徴とする、請求項１から６の何れか１つに記載の、遮蔽容器への放射性粒状廃樹脂の収納方法。
【請求項８】
前記水分除去工程の後に、前記放射性粒状廃樹脂に含まれる水分を乾燥させて除去する乾燥工程を設けることを特徴とする、請求項１から７の何れか１つに記載の、遮蔽容器への放射性粒状廃樹脂の収納方法。
【請求項９】
前記遮蔽容器は、遮蔽ドラム缶からなっていることを特徴とする、請求項１から８の何れか１つに記載の、遮蔽容器への放射性粒状廃樹脂の収納方法。
【発明の詳細な説明】
【技術分野】
【０００１】
この発明は、放射性粒状廃樹脂の収納方法、特に、原子力発電設備を運転する際に、二次的に発生する放射性粒状廃樹脂を遮蔽容器に収納して保管するに際して、放射線被ばく量を最小限に抑えて、水分が除去された放射性粒状廃樹脂を遮蔽容器に収納することができる、遮蔽容器への放射性粒状廃樹脂の収納方法に関するものである。
【背景技術】
【０００２】
従来、使用済み燃料冷却貯蔵池内の水は、砂ろ過塔にてろ過後、樹脂塔にてイオン交換される。この際、使用する砂は、川砂であり、樹脂は、粒状アニオン樹脂および粒状カチオン樹脂からなる放射性粒状廃樹脂である。
【０００３】
上述した燃料冷却貯蔵池内の水の処理に際して発生する放射性粒状廃樹脂の処理方法の一つに、回収した放射性粒状廃樹脂を遮蔽ドラム缶等の遮蔽容器に収納し、この遮蔽容器を所定の場所に保管する方法がある。
【発明の概要】
【発明が解決しようとする課題】
【０００４】
上記処理方法において、重要なことは、放射性粒状廃樹脂を遮蔽容器に収納する際に、放射性粒状廃樹脂に含まれる水分を除去することと、放射性粒状廃樹脂の回収工程から、水分を除去した放射性粒状廃樹脂の遮蔽容器への収納工程に至るまでの間に受ける被ばく量を最小限に抑えることである。
【０００５】
上記目的を達成することができる、放射性粒状廃樹脂の収納方法が望まれているが、このような、放射性粒状廃樹脂の収納方法は、現在のところ、まだ、提案されていない。
【０００６】
従って、この発明の目的は、原子力発電設備を運転する際に、二次的に発生する放射性粒状廃樹脂を遮蔽容器に収納するに際して、被ばく量を最小限に抑えて、水分が除去された放射性粒状廃樹脂を、遮蔽容器に収納することができる、遮蔽容器への放射性粒状廃樹脂の収納方法を提供することにある。
【課題を解決するための手段】
【０００７】
この発明は、上記目的を達成するためになされたものであって、下記を特徴とするものである。
【０００８】
請求項１に記載の発明は、放射性粒状廃樹脂を遮蔽容器に収納する、遮蔽容器への放射性粒状廃樹脂の収納方法において、下記工程、
回収した前記放射性粒状廃樹脂を網袋に収納する廃樹脂収納工程、
前記網袋に収納された前記放射性粒状廃樹脂に含まれる水分を除去する水分除去工程、
水分が除去された前記放射性粒状廃樹脂が収納された前記網袋を樹脂袋に収納する網袋収納工程、
前記網袋が収納された前記樹脂袋を前記遮蔽容器に収納する樹脂袋収納工程、
を備え、
前記廃樹脂収納工程と前記水分除去工程と前記網袋収納工程と前記樹脂袋収納工程との間を遮蔽壁によって遮蔽することに特徴を有するものである。
【０００９】
請求項２に記載の発明は、請求項１に記載の発明において、前記廃樹脂収納工程は、回収した前記放射性粒状廃樹脂を吸引して前記網袋に収納することに特徴を有するものである。
【００１０】
請求項３に記載の発明は、請求項１または２に記載の発明において、前記水分除去工程は、水分を含む前記放射性粒状廃樹脂が収納された前記網袋を遠心脱水することによって前記放射性粒状廃樹脂から水分を除去することに特徴を有するものである。
【００１１】
請求項４に記載の発明は、請求項１から３の何れか１つに記載の発明において、前記廃樹脂収納工程から前記水分除去工程、前記水分除去工程から前記網袋収納工程への前記網袋の搬送、および、前記網袋収納工程から前記樹脂袋収納工程への前記樹脂袋の搬送は、前記網袋の吊り上げ、吊り下ろし、および、前記樹脂袋の吊り上げ、吊り下ろしが可能な搬送手段によって行うことに特徴を有するものである。
【００１２】
請求項５に記載の発明は、請求項４に記載の発明において、前記搬送手段を前記遮蔽壁の上方に設置することに特徴を有するものである。
【００１３】
請求項６に記載の発明は、請求項４または５に記載の発明において、前記搬送手段は、レールと前記レールに沿って移動可能な巻上機とからなることに特徴を有するものである。
【００１４】
請求項７に記載の発明は、請求項１から６の何れか１つに記載の発明において、前記遮蔽壁には、作業員が前記網袋あるいは前記樹脂袋を操作する開口を形成することに特徴を有するものである。
【００１５】
請求項８に記載の発明は、請求項１から７の何れか１つに記載の発明において、前記水分除去工程の後に、前記放射性粒状廃樹脂に含まれる水分を乾燥させて除去する乾燥工程を設けることに特徴を有するものである。
【００１６】
請求項９に記載の発明は、請求項１から８の何れか１つに記載の発明において、前記遮蔽容器は、遮蔽ドラム缶からなっていることに特徴を有するものである。
【発明の効果】
【００１７】
この発明によれば、使用済み燃料冷却貯蔵池内の水の処理に際して発生する放射性粒状廃樹脂を遮蔽容器に収納するに際して、被ばく量を最小限に抑えて、水分が除去された放射性粒状廃樹脂を、遮蔽容器に収納することができる。
【００１８】
また、この発明によれば、各工程が遮蔽壁によって仕切られているので、この点からも被ばく量を最小限に抑えることができる。
【００１９】
また、この発明によれば、遮蔽壁に開口を設け、作業員がこの開口を利用して網袋あるいは樹脂袋のセット、固縛、あるいは、巻上機への着脱等の操作を行うことができるので、この点からも被ばく量を最小限に抑えることができる。
【００２０】
また、この発明によれば、水分が含まれる放射性粒状廃樹脂が収納された網袋を遠心脱水機にかけることによって水分が除去されるので、遮蔽ドラム缶等の遮蔽容器への放射性粒状廃樹脂の収納効率が向上する。また、水分が含まれる放射性粒状廃樹脂が収納された網袋を遠心脱水機にかけることによって水分が除去される結果、次のような効果がもたらされる。遮蔽容器は、超長期間保管されるが、この保管中に放射性粒状廃樹脂が収納された樹脂袋から放射性汚染水が漏れ、これによって遮蔽容器が腐食し、この結果、放射性汚染水や放射性粒状廃樹脂が遮蔽容器から流出して、周囲を汚染するおそれがある。しかしながら、上述したように、水分が除去されることによって、このようなおそれを回避することができる。
【００２１】
また、この発明によれば、遠心脱水機による水分除去工程の後に、乾燥工程を設けることによって、放射性粒状廃樹脂に含まれる水分がさらに少なくなり、上述した水分除去効果がさらに向上する。
【図面の簡単な説明】
【００２２】
【図１】この発明の、遮蔽容器への放射性粒状廃樹脂の収納方法を示す工程図である。
【図２】この発明の、遮蔽容器への放射性粒状廃樹脂の収納方法を示す別の工程図である。
【発明を実施するための形態】
【００２３】
この発明の、遮蔽容器への放射性粒状廃樹脂の収納方法の一実施態様を、図面を参照しながら説明する。
【００２４】
図１は、この発明の、遮蔽容器への放射性粒状廃樹脂の収納方法を示す工程図である。
【００２５】
図１において、１は、廃樹脂収納工程（Ａ）に設置されたバキュームポンプ等の廃樹脂吸引装置である。廃樹脂収納工程（Ａ）において、タンク２内に入れられた、貯蔵された放射性粒状廃樹脂は、廃樹脂吸引装置１にセットされたナイロンメッシュ袋等からなる網袋３に収納される。
【００２６】
４は、水分除去工程（Ｂ）に設置された遠心脱水機である。水分除去工程（Ｂ）において、網袋３に収納された放射性粒状廃樹脂に含まれる水分は、遠心脱水機４により除去される。放射性粒状廃樹脂に含まれる水分を除去することによって、後述する遮蔽容器７への放射性粒状廃樹脂の収納効率が向上するとともに、放射性汚染水あるいは放射性粒状廃樹脂の遮蔽容器７からの流出によるリスクを回避することができる。
【００２７】
なお、図２の別の工程図に示すように、遠心脱水機４による水分除去工程（Ｂ）の後に、電熱ヒーター等による乾燥工程（Ｅ）を設けることによって、放射性粒状廃樹脂に含まれる水分がさらに少なくなる結果、遮蔽容器７への放射性粒状廃樹脂の収納効率の向上効果がさらに向上するとともに、放射性汚染水あるいは放射性粒状廃樹脂の遮蔽容器７からの流出によるリスクの回避効果がさらに向上する。
【００２８】
５は、網袋収納工程（Ｃ）に設置された樹脂袋設置台である。網袋収納工程（Ｃ）において、水分が除去された放射性粒状廃樹脂が収納された網袋３は、樹脂袋設置台５にセットされたポリエチレン等の樹脂袋６に収納される。
【００２９】
７は、樹脂袋収納工程（Ｄ）に設置された遮蔽ドラム缶からなる遮蔽容器である。樹脂袋収納工程（Ｄ）において、網袋３が収納された樹脂袋６は、遮蔽容器７に収納され、蓋が閉められる。なお、遮蔽容器７は、遮蔽ドラム缶以外の容器であってもよい。
【００３０】
８は、廃樹脂収納工程（Ａ）と水分除去工程（Ｂ）と網袋収納工程（Ｃ）と樹脂袋収納工程（Ｄ）との間に設置された遮蔽壁である。
【００３１】
廃樹脂収納工程（Ａ）に設置された廃樹脂吸引装置１と水分除去工程（Ｂ）に設置された遠心脱水機４との間には、作業用スペースＳ１が設けられている。
【００３２】
遠心脱水機４と網袋収納工程（Ｃ）に設置された樹脂袋設置台５との間には、作業用スペースＳ２が設置されている。
【００３３】
樹脂袋設置台５と樹脂袋収納工程（Ｄ）に設置された遮蔽容器７との間には、作業用スペースＳ３が設置されている。
【００３４】
作業用スペースＳ１、作業用スペースＳ２、作業用スペースＳ３は、それぞれ遮蔽壁８により仕切られている。遮蔽壁８には、作業員が網袋３あるいは樹脂袋６のセット、固縛、あるいは、後述する巻上機１２への着脱等の操作を行う開口９ａ、開口９ｂ、開口９ｃ、開口９ｄが形成されている。
【００３５】
１０は、搬送手段である。搬送手段１０は、網袋３を、廃樹脂吸引装置１から遠心脱水機４、および、遠心脱水機４から樹脂袋設置台５に搬送するとともに、樹脂袋６を、樹脂袋設置台５から遮蔽容器７に搬送する。搬送手段１０は、遮蔽壁８の上方に、廃樹脂収納工程（Ａ）から樹脂袋収納工程（Ｄ）に亘って設置されたレール１１と、レール１１に沿って移動可能なホイスト等の巻上機１２とからなっている。
【００３６】
このように構成されている、この発明の、遮蔽容器への放射性粒状廃樹脂の収納方法によれば、以下のようにして、回収された放射性粒状廃樹脂が遮蔽ドラム缶等の遮蔽容器に収納される。
【００３７】
タンク２に貯蔵された放射性粒状廃樹脂は、廃樹脂吸引装置１によって吸引され、廃樹脂吸引装置１にセットされた網袋３に収納される。放射性粒状廃樹脂が収納された網袋３は、作業員が開口９ａから手を入れることによって固縛された後、巻上機１２に取り付けられる。
【００３８】
次いで、網袋３は、巻上機１２によって吊り上げられ、遠心脱水機４まで搬送され、この後、遠心脱水機４内に吊り下ろされる。遠心脱水機４内に吊り下ろされた網袋３は、作業用スペースＳ１内の作業員が開口９ｂから手を入れることによって巻上機１２から外される。この後、遠心脱水機４により、網袋３に収納された放射性粒状廃樹脂に含まれる水分が除去される。この後、網袋３は、作業員によって巻上機１２に取り付けられる。
【００３９】
次いで、水分が除去された網袋３は、巻上機１２によって吊り上げられ、樹脂袋設置台５まで搬送され、この後、樹脂袋設置台５にセットされた樹脂袋６内に吊り下ろされる。網袋３が吊り下ろされた樹脂袋６は、作業用スペースＳ２内の作業員が開口９ｃから手を入れることによって固縛される。
【００４０】
次いで、網袋３が収納された樹脂袋６は、巻上機１２によって吊り上げられ、遮蔽容器７まで搬送され、この後、遮蔽容器７内に吊り下ろされる。遮蔽容器７内に収納された樹脂袋６は、作業用スペースＳ３内の作業員が開口９ｄから手を入れることによって巻上機１２から外される。
【００４１】
このようにして、回収された放射性粒状廃樹脂は、遮蔽容器７に収納され、蓋が閉められる。この後、遮蔽容器７は、所定の保管場所に搬送され、保管される。
【００４２】
以上説明したように、この発明によれば、放射性粒状廃樹脂を回収してから遮蔽容器７に収納するまでの間に、作業員が放射性粒状廃樹脂に触れることが少ないので、被ばく量を最小限に抑えることができる。
【００４３】
また、この発明によれば、各工程が遮蔽壁８によって仕切られているので、この点からも被ばく量を最小限に抑えることができる。
【００４４】
また、この発明によれば、遮蔽壁８に開口９ａから９ｄを設け、作業員がこの開口９ａから９ｄを利用して網袋３あるいは樹脂袋６のセット、固縛、あるいは、巻上機１２への着脱等の操作を行うことができるので、この点からも被ばく量を最小限に抑えることができる。
【００４５】
また、この発明によれば、水分が含まれる放射性粒状廃樹脂が収納された網袋３を遠心脱水機４にかけることによって水分が除去されるので、遮蔽ドラム缶等の遮蔽容器７への放射性粒状廃樹脂の収納効率が向上する。
【００４６】
また、この発明によれば、水分が含まれる放射性粒状廃樹脂が収納された網袋３を遠心脱水機４にかけることによって水分が除去されるので、放射性汚染水あるいは放射性粒状廃樹脂の遮蔽ドラム缶等の遮蔽容器７からの流出によるリスクを回避することができる。
【００４７】
また、この発明によれば、心脱水機４による水分除去工程（Ｂ）の後に、乾燥工程（Ｅ）を設けることによって、放射性粒状廃樹脂に含まれる水分がさらに少なくなる結果、上述した水分除去効果がさらに向上する。
【符号の説明】
【００４８】
１：廃樹脂吸引装置
２：タンク
３：網袋
４：遠心脱水機
５：樹脂袋設置台
６：樹脂袋
７：遮蔽容器
８：遮蔽壁
９ａから９ｄ：開口
１０：搬送手段
１１：レール
１２：巻上機
【図１】
2019196956.tif 000003
【図２】
2019196956.tif 000004